(57)【要約】【課題】脱臭フィルタを通過する気流が妨げられることを抑えると共に、空気清浄機の奥行方向に対して小型化する。【解決手段】筒状の脱臭フィルタと、脱臭フィルタの内周側に配置され、脱臭フィルタを通過する気流を発生する遠心ファンと、底面部と側面部と上面部とを有すると共に、側面部と上面部のうち少なくとも一方に開口を有し、底面部と側面部と上面部とで囲まれた空間内に脱臭フィルタを収容する筐体と、脱臭フィルタを脱臭フィルタの周方向に回転させる駆動部と、筐体内における底面部側に配置され、脱臭フィルタが脱臭フィルタの周方向に回転可能となるように、脱臭フィルタの周面を支持する回転支持部と、筐体内における底面部側に脱臭フィルタの周面に対向して配置され、脱臭フィルタを加熱する加熱部と、を備える。【選択図】図１
2017169820.tif 000002
【特許請求の範囲】
【請求項１】
筒状の脱臭フィルタと、
前記脱臭フィルタの内周側に配置され、前記脱臭フィルタを通過する気流を発生する遠心ファンと、
底面部と側面部と上面部とを有すると共に、前記側面部と前記上面部のうち少なくとも一方に開口を有し、前記底面部と前記側面部と前記上面部とで囲まれた空間内に前記脱臭フィルタを収容する筐体と、
前記脱臭フィルタを前記脱臭フィルタの周方向に回転させる駆動部と、
前記筐体内における前記底面部側に配置され、前記脱臭フィルタが前記脱臭フィルタの周方向に回転可能となるように、前記脱臭フィルタの周面を支持する回転支持部と、
前記筐体内における前記底面部側に前記脱臭フィルタの周面に対向して配置され、前記脱臭フィルタを加熱する加熱部と、
を備える、空気清浄機。
【請求項２】
前記加熱部は、ヒータと、前記ヒータによって加熱される加熱部材と、を有し、
前記加熱部材は、前記脱臭フィルタの周面に沿って湾曲している、
請求項１に記載の空気清浄機。
【請求項３】
前記加熱部材は、前記脱臭フィルタの外周面に対向して配置された、
請求項２に記載の空気清浄機。
【請求項４】
前記加熱部は、前記ヒータ及び前記加熱部材を保持するホルダ部材を有し、
前記ホルダ部材には、前記脱臭フィルタの内周面を前記脱臭フィルタが回転可能に支持する回転体が設けられた、
請求項２または３に記載の空気清浄機。
【請求項５】
前記脱臭フィルタは、フィルタ部材と、前記フィルタ部材を支持する筒状の支持基体と、を有する、
請求項１ないし４のいずれか１項に記載の空気清浄機。
【請求項６】
前記支持基体は、前記脱臭フィルタの周方向に沿って配置された複数のフィルタ部材を支持する複数の環状の枠部と、前記複数の枠部を互いに連結する複数の連結部と、を有する、
請求項５に記載の空気清浄機。
【請求項７】
前記脱臭フィルタは、前記周方向に沿って設けられたギア部を有し、
前記駆動部は、前記ギア部を介して前記脱臭フィルタを回転させる駆動機構を有する、
請求項１ないし６のいずれか１項に記載の空気清浄機。
【発明の詳細な説明】
【技術分野】
【０００１】
本発明は、空気清浄機に関する。
【背景技術】
【０００２】
空気清浄機としては、臭気成分の吸着に伴って低下した脱臭フィルタの吸着性能を再生するために、脱臭フィルタを加熱する加熱部を備えるものがある。
【０００３】
加熱部を備える空気清浄機としては、円筒状の脱臭フィルタと、脱臭フィルタをその中心軸を回転軸として周方向に回転させる駆動部と、脱臭フィルタの回転軸方向（以下、軸方向と称する。）における一端部の端面を周方向に回転可能に支持する回転支持部と、を備える構成が知られている。駆動部は、脱臭フィルタの外周側に配置されており、モータの回転軸に設けられたプーリと、脱臭フィルタの外周部とに掛け渡されたベルトを介して、脱臭フィルタを駆動する。空気清浄機は、脱臭フィルタの内周側から外周側へ空気を通過させることで、空気中の臭気成分を脱臭フィルタに吸着させる。
【先行技術文献】
【特許文献】
【０００４】
【特許文献１】特開平１１−２６７４４５号公報
【発明の概要】
【発明が解決しようとする課題】
【０００５】
しかしながら、上述した関連技術の空気清浄機が備える駆動部は、脱臭フィルタの外周側に配置されており、円筒状の脱臭フィルタの外周部に掛け渡されたベルトが、脱臭フィルタの径方向に延ばされている。このため、駆動部によって、脱臭フィルタを通過する気流が妨げられる不都合がある。
【０００６】
また、関連技術の空気清浄機は、円筒状の脱臭フィルタの軸方向が上下方向を向いた姿勢で脱臭フィルタが回転されるので、空気清浄機の前後方向（奥行方向）に対して空気清浄機全体がかさばる不都合がある。
【０００７】
本願は、上記に鑑みてなされたものであって、脱臭フィルタを通過する気流が妨げられることを抑えると共に、空気清浄機の奥行方向に対して小型化することができる空気清浄機を提供することを目的とする。
【課題を解決するための手段】
【０００８】
本願の開示する空気清浄機の一態様は、筒状の脱臭フィルタと、前記脱臭フィルタの内周側に配置され、前記脱臭フィルタを通過する気流を発生する遠心ファンと、底面部と側面部と上面部とを有すると共に、前記側面部と前記上面部のうち少なくとも一方に開口を有し、前記底面部と前記側面部と前記上面部とで囲まれた空間内に前記脱臭フィルタを収容する筐体と、前記脱臭フィルタを前記脱臭フィルタの周方向に回転させる駆動部と、前記筐体内における前記底面部側に配置され、前記脱臭フィルタが前記脱臭フィルタの周方向に回転可能となるように、前記脱臭フィルタの周面を支持する回転支持部と、前記筐体内における前記底面部側に前記脱臭フィルタの周面に対向して配置され、前記脱臭フィルタを加熱する加熱部と、を備える。
【発明の効果】
【０００９】
本願の開示する空気清浄機の一態様によれば、脱臭フィルタを通過する気流が妨げられることを抑えると共に、空気清浄機の奥行方向に対して小型化することができる。
【図面の簡単な説明】
【００１０】
【図１】図１は、実施例１の空気清浄機を正面部側から見た断面図である。
【図２】図２は、実施例１の空気清浄機を側面部側から見た断面図である。
【図３】図３は、実施例１の空気清浄機が有する脱臭フィルタを示す分解斜視図である。
【図４】図４は、実施例１の空気清浄機の駆動部を示す模式図である。
【図５】図５は、実施例１の空気清浄機の加熱部を示す断面図である。
【図６】図６は、実施例１の空気清浄機の加熱部を示す図５のＢ−Ｂ断面図である。
【図７】図７は、実施例２の空気清浄機を正面部側から見た断面図である。
【図８】図８は、実施例３の空気清浄機を正面部側から見た断面図である。
【図９】図９は、実施例１〜３の空気清浄機が有する変形例の脱臭フィルタを示す分解斜視図である。
【発明を実施するための形態】
【００１１】
以下に、本願の開示する空気清浄機の実施例を図面に基づいて詳細に説明する。なお、以下の実施例によって、本願の開示する空気清浄機が限定されるものではない。
【実施例１】
【００１２】
（空気清浄機の構成）
図１は、実施例１の空気清浄機を正面部側から見た断面図である。図２は、実施例１の空気清浄機を側面部側から見た断面図である。
【００１３】
図１及び図２に示すように、実施例１の空気清浄機１は、内周面と外周面（以下、併せて周面）を有する筒状の脱臭フィルタとしての円筒状の脱臭フィルタ６と、脱臭フィルタ６を通過する気流を発生する遠心ファン７と、脱臭フィルタ６及び遠心ファン７を内部に収容する筐体８と、を備える。また、空気清浄機１は、脱臭フィルタ６を周方向に回転させる駆動部１１と、脱臭フィルタ６をその周方向に回転可能に支持する回転支持部１２と、脱臭フィルタ６を加熱する加熱部１３と、を備える。
【００１４】
図１以降において、実施例の空気清浄機１の正面の幅方向をＸ方向、空気清浄機１の奥行方向をＹ方向、空気清浄機１の高さ方向をＺ方向とする。
【００１５】
図３は、実施例１の空気清浄機１が有する脱臭フィルタ６を示す分解斜視図である。図３に示すように、脱臭フィルタ６は、円筒状のフィルタ部材６ａと、フィルタ部材６ａの外周面５ａを支持する円筒状の支持基体６ｂと、を有する。
【００１６】
脱臭フィルタ６のフィルタ部材６ａは、臭気成分を吸着する吸着剤と、吸着剤から脱離された臭気成分を酸化分解する触媒と、を含有している。脱臭フィルタ６として、吸着剤のみを有する脱臭フィルタが用いられてもよい。このような脱臭フィルタを用いる場合には、例えば、加熱部１３側に触媒が設けられる。
【００１７】
支持基体６ｂは、フィルタ部材６ａを支持する一対の環状の枠部６ｃと、一対の枠部６ｃを互いに連結する複数の連結部６ｄと、を有し、円筒状に形成されている。支持基体６ｂは、複数の連結部６ｄによって枠部６ｃの機械的強度が補強されており、支持基体６ｂの内周部に挿入されたフィルタ部材６ａを支持する。支持基体６ｂは、一対の枠部６ｃの間に、更に別の枠部が設けられてもよい。
【００１８】
図３及び図４に示すように、一対の枠部６ｃのうちの一方の外周部６ｆには、周方向にわたってギア部１５が形成されている。脱臭フィルタ６は、ギア部１５を介して駆動部１１によって駆動される。また、一対の枠部６ｃそれぞれの外周面には、例えば、回転支持部１２が有する後述の複数のローラ２１によって支持される平滑面６ｅが周方向にわたって形成されている。脱臭フィルタ６は、平滑面６ｅを有することで、脱臭フィルタ６の回転動作の安定性を高めることが可能になる。
【００１９】
遠心ファン７は、図１及び図２に示すように、脱臭フィルタ６の内周側に配置されている。遠心ファン７は、ファンモータ７ａと、ファンモータ７ａの回転軸の外周側に設けられたファンブレード７ｂと、を有する。遠心ファン７は、例えば、ファンブレード７ｂの回転軸が、脱臭フィルタ６の中心軸と一致するように配置されている。遠心ファン７は、例えば、脱臭フィルタ６の内周側から外周側へ通過する気流を発生する。
【００２０】
筐体８は、図１及び図２に示すように、正方形状の正面部８ａ及び背面部８ｂを有する箱状に形成されている。筐体８は、例えば、床面等の載置面１０上に載置される底面部８ｃと、上面部８ｄと、側面部８ｅと、を有する。筐体８は、底面部８ｃと側面部８ｅと上面部８ｄとで囲まれた空間内に脱臭フィルタ６を収容する。また、筐体８は、例えば、脱臭フィルタ６及び遠心ファン７を各軸方向が正面部８ａ及び背面部８ｂにそれぞれ直交する向きに収容する。したがって、筐体８が水平面に平行な載置面１０上に載置された姿勢では、脱臭フィルタ６及び遠心ファン７の各回転軸が水平方向と平行になり、脱臭フィルタ６及び遠心ファン７の各回転軸が筐体８の前後方向（Ｙ方向）に向いている。また、筐体８内には、図２に示すように、底面部８ｃ、上面部８ｄ及び両側面部８ｅに、支持フレーム１７が固定されており、支持フレーム１７に遠心ファン７が取り付けられている。
【００２１】
図２に示すように、筐体８の正面部８ａには、空気を吸入するための複数の吸気口９ａが設けられている。また、筐体８の上面部８ｄと側面部８ｅのうち少なくとも一方には、開口が形成されている。例えば、開口は、空気を排出するための排気口９ｂとなる。筐体８内には、正面部８ａから取り込まれた空気中の塵埃を除去するフィルタ１８が設けられている。フィルタ１８は、正面部８ａと遠心ファン７との間に、正面部８ａに対向して配置されている。また、図２に示すように、上面部８ｄにおける正面部８ａ側には、空気清浄機１の各種の操作を行うための操作部１９が設けられている。
【００２２】
（駆動部の構成）
図４は、実施例１の空気清浄機１の駆動部１１を示す模式図である。駆動部１１は、図１に示すように、脱臭フィルタ６の外周側に隣接して、筐体８内における上面部８ｄと側面部８ｅとがなす角部に配置されている。図４に示すように、駆動部１１は、駆動機構として、モータ１１ａと、モータ１１ａによって回転される駆動ギア１１ｂと、を有しており、駆動ギア１１ｂが、脱臭フィルタ６のギア部１５に噛み合わされている。脱臭フィルタ６のギア部１５は、図示しないが例えば、複数のギア列を介して、モータ１１ａによって駆動されてもよい。駆動部１１は、駆動ギア１１ｂによって脱臭フィルタ６を図４におけるＡ方向へ回転させる。
【００２３】
また、駆動ギア１１ｂは、平歯車に限定されるものではなく、例えば、かさ歯車、はすば歯車等の各種のギアを用いることで、駆動ギア１１ｂと、脱臭フィルタ６のギア部１５とが噛み合う形態を適宜変更し、脱臭フィルタ６の軸方向に対するモータ１１ａの回転軸方向が任意に設定されてよい。なお、駆動部１１の駆動ギア１１ｂの配置を限定するものではなく、必要に応じて、脱臭フィルタ６の内周側等の他の位置に駆動ギア１１ｂが配置されてもよい。
【００２４】
また、空気清浄機１は、駆動部１１及び加熱部１３を制御する制御部１４を備える。制御部１４は、底面部８ｃに配置されており、図示しない回路基板を有する。回路基板は、駆動部１１のモータ１１ａ、加熱部１３のヒータ２３、操作部１９等に接続されている。
【００２５】
（回転支持部の構成）
図１に示すように、回転支持部１２は、筐体８内における底面部８ｃ上（底面部８ｃ側）に配置されている。回転支持部１２は、図１及び図４に示すように、脱臭フィルタ６の外周面５ａを回転可能に支持する回転体としての複数のローラ２１を有する。ローラ２１は、例えば、樹脂や、金属やセラミックス等によって形成されており、図示しないが、回転軸を介して軸受け部材に支持されている。
【００２６】
脱臭フィルタ６の軸方向から見た断面（Ｘ−Ｚ平面）で、複数のローラ２１は、Ｘ方向における底面部８ｃの中央を挟んだ両側にそれぞれ配置されている。言い換えると、複数のローラ２１は、底面部８ｃに配置された加熱部１３に対して、脱臭フィルタ６の回転方向であるＡ方向の上流側及び下流側にそれぞれ配置されている。また、複数のローラ２１は、例えば脱臭フィルタ６の軸方向（Ｙ方向）の両端部に位置する一対の枠部６ｃの平滑面６ｅにそれぞれ接して配置されている。したがって、脱臭フィルタ６の外周面５ａは、例えば、底面部８ｃに配置された４つのローラ２１によって支持されている。回転支持部１２では、ローラ２１の代わりにボールが用いられてもよい。
【００２７】
（加熱部の構成）
図５は、実施例１の空気清浄機１の加熱部１３を示す断面図である。図６は、実施例１の空気清浄機１の加熱部１３を示す図５のＢ−Ｂ断面図である。加熱部１３は、図１及び図２に示すように、脱臭フィルタ６の外周面５ａの周方向における一部に対向しており、筐体８内における底面部８ｃ上（底面部８ｃ側）に配置されている。実施例１における加熱部１３は、底面部８ｃの、Ｘ方向における中央に配置されている。
【００２８】
図５及び図６に示すように、加熱部１３は、ヒータ２３と、ヒータ２３によって加熱される加熱部材としての加熱板２４と、を備える。また、加熱部１３は、ヒータ２３から加熱部１３の外部へ放出される熱を遮る断熱部材２５と、ヒータ２３、加熱板２４及び断熱部材２５を保持するホルダ部材２６と、を有する。
【００２９】
ヒータ２３は、脱臭フィルタ６の外周面５ａに沿って配置された加熱板２４の、脱臭フィルタ６と反対側の面上に設けられている。ヒータ２３は、例えば、加熱板２４の面内中央部に設けられてもよく、例えば、面内方向において蛇行して設けられてもよい。ヒータ２３としては、例えば、シーズヒータ、面状ヒータ等が用いられる。加熱板２４は、脱臭フィルタ６の外周面５ａの周方向に沿って湾曲されている。加熱板２４は、例えば、脱臭フィルタ６の全周の１／８程度の範囲にわたって設けられている。
【００３０】
このように加熱部１３は、加熱板２４が脱臭フィルタ６の周方向に沿って湾曲されることで、加熱板２４によって脱臭フィルタ６の外周面５ａを周方向に沿って均一に加熱することが可能になる。また、加熱板２４が脱臭フィルタ６の外周面５ａに対向して配置されたことで、すなわち、加熱板２４が脱臭フィルタ６の下方に位置することで、脱臭フィルタ６の加熱に伴って加熱部１３から上昇する気流によって、脱臭フィルタ６が効率的に加熱される。
【００３１】
ホルダ部材２６は、断面Ｕ字状に形成されており、脱臭フィルタ６が通過するための所定の間隔をあけて形成された一対の保持片２６ａを有する。脱臭フィルタ６の外周側に配置された保持片２６ａには、ヒータ２３及び加熱板２４が、断熱部材２５を介して保持されている。脱臭フィルタ６の内周側に配置された保持片２６ａには、断熱部材２５が保持されている。
【００３２】
また、加熱部１３は、脱臭フィルタ６の内周面５ｂを支持する回転体としての複数のガイドローラ２８を有する。ガイドローラ２８は、例えば、金属材やセラミックス等によって形成されており、回転軸（図示せず）を介して軸受け部材２９に支持されている。複数のガイドローラ２８は、脱臭フィルタ６の回転方向であるＡ方向の上流側及び下流側にそれぞれ配置されている。また、複数のガイドローラ２８は、脱臭フィルタ６の軸方向（Ｙ方向）の両端部に位置する一対の枠部６ｃにそれぞれ接して配置されており、例えば、４つのガイドローラ２８によって脱臭フィルタ６の内周面５ｂが支持されている。
【００３３】
加熱部１３は、各ガイドローラ２８によって脱臭フィルタ６の内周面５ｂを支持することで、加熱部１３内を通過する脱臭フィルタ６の径方向における相対位置が安定すると共に、脱臭フィルタ６が周方向にスムースに移動することが可能になる。また、脱臭フィルタ６の内周面５ｂを支持するガイドローラ２８と、脱臭フィルタ６の外周面５ａを支持するローラ２１とで、脱臭フィルタ６の径方向において脱臭フィルタ６を挟んで支持することが可能になる。このため、回転支持部１２が支持する脱臭フィルタ６の支持状態の安定性が高められる。
【００３４】
実施例１では、加熱部１３が脱臭フィルタ６の外周面５ａ側に配置され、ガイドローラ２８が脱臭フィルタ６の内周面５ｂ側に配置されたが、加熱部１３やガイドローラ２８は、脱臭フィルタ６の周面側に配置されていればよい。すなわち、必要に応じて、加熱部１３が脱臭フィルタ６の内周面５ｂ側に配置されてもよいし、ガイドローラ２８が脱臭フィルタ６の外周面５ａ側に配置されてもよい。また、加熱部１３が有する回転体としては、ガイドローラ２８に限定されるものではなく、例えばボールが用いられてもよい。
【００３５】
また、図示しないが、例えば脱臭フィルタ６が触媒を含有していない場合には、加熱部１３における加熱板２４に触媒部材が設けられてもよい。触媒部材によって、脱臭フィルタ６から脱離された臭気成分を酸化分解することができる。
【００３６】
（空気清浄機の動作）
空気清浄機１は、例えば筐体８の正面部８ａから吸引された空気が、脱臭フィルタ６の内周側から外周側へ通過することで、その空気中の臭気成分が脱臭フィルタ６に吸着される。臭気成分が吸着された脱臭フィルタ６がＡ方向に回転されることに伴って、脱臭フィルタ６が加熱部１３を通過する。加熱部１３は、ヒータ２３が加熱する加熱板２４によって、脱臭フィルタ６を加熱することで、脱臭フィルタ６に吸着された臭気成分を脱離すると共に触媒によって臭気成分を酸化分解する。これにより、加熱部１３は、脱臭フィルタ６の吸着性能を再生する。
【００３７】
また、空気清浄機１では、駆動部１１の駆動ギア１１ｂによって脱臭フィルタ６のギア部１５が回転されることで、回転支持部１２の各ローラ２１によって外周面が支持された脱臭フィルタ６が周方向（Ａ方向）に沿って回転される。さらに加熱部１３では、周方向に沿って回転される脱臭フィルタ６の内周面５ｂを各ガイドローラ２８が支持することで、脱臭フィルタ６の径方向の位置が規制され、脱臭フィルタ６が加熱部１３内をスムースに通過する。
【００３８】
実施例１における加熱部１３は、上述の加熱板２４によって、脱臭フィルタ６の全周の１／８程度の範囲を同時に加熱する。制御部１４は、例えば、脱臭フィルタ６の全周の１／８の範囲が１．５時間程度で加熱部１３を通過する速度で、脱臭フィルタ６を回転させるように駆動部１１を制御する。このため、本実施例における加熱部１３では、１２時間程度で脱臭フィルタ６の全周の加熱処理が完了する。制御部１４は、例えば、脱臭フィルタ６の全周を連続的に加熱する動作が完了した後、加熱動作を１２時間休止するように加熱部１３を制御してもよい。このように、空気清浄機１では、所定の動作サイクルで加熱部１３及び駆動部１１が動作を休止することで、消費電力を抑えることが可能になる。
【００３９】
（実施例１の効果）
上述したように実施例１の空気清浄機１は、筐体８内における底面部８ｃ側に配置されて脱臭フィルタ６の外周側を周方向に回転可能に支持する回転支持部１２と、筐体８内における底面部８ｃ側に脱臭フィルタ６の外周面５ａに対向して配置されて脱臭フィルタ６を加熱する加熱部１３と、を備える。これにより、載置面１０上に載置された底面部８ｃは、気流が通過しないので、このような底面部８ｃに、回転支持部１２及び加熱部１３を配置することで、回転支持部１２及び加熱部１３によって筐体８内の気流が妨げられることを抑えることができる。したがって、底面部８ｃを有する筐体８内における他の位置に回転支持部１２及び加熱部１３を配置する構成に比べて、回転支持部１２及び加熱部１３によって筐体８内を通過する気流が妨げられることを抑えることができる。
【００４０】
加えて、空気清浄機１において、筐体８を水平面に平行な載置面１０上に載置した場合には、円筒状の脱臭フィルタ６の軸方向を水平方向に配置した姿勢で脱臭フィルタ６を回転させることが可能になり、脱臭フィルタ６の内周側に遠心ファン７を配置できるので、空気清浄機１全体を奥行方向（Ｙ方向）に対して小型化することができる。
【００４１】
また、実施例１の空気清浄機１における加熱部１３は、脱臭フィルタ６の外周面５ａに沿って湾曲する加熱板２４を有する。これにより、加熱部１３は、加熱板２４によって脱臭フィルタ６を周方向に沿って均一に加熱することができる。
【００４２】
また、実施例１の空気清浄機１における加熱部１３は、脱臭フィルタ６の外周面５ａに対向して配置された加熱板２４を有する。すなわち、加熱板２４が脱臭フィルタ６の下方に位置することで、空気清浄機１は、脱臭フィルタ６の加熱に伴って加熱部１３から上昇する気流によって、脱臭フィルタ６を効率的に加熱することができる。
【００４３】
また、実施例１の空気清浄機１における加熱部１３は、脱臭フィルタ６の内周面５ｂを回転可能に支持するガイドローラ２８がホルダ部材２６に設けられる。ガイドローラ２８によって、加熱部１３を通過する脱臭フィルタ６が径方向における位置が規制されることで、脱臭フィルタ６の移動が安定し、加熱部１３内を脱臭フィルタ６がスムースに通過することができる。加えて、脱臭フィルタ６の内周面５ｂを支持するガイドローラ２８と、脱臭フィルタ６の外周面５ａを支持するローラ２１とで、脱臭フィルタ６の径方向において脱臭フィルタ６を挟んで支持することが可能になる。このため、回転支持部１２が支持する脱臭フィルタ６の支持状態の安定性を高めることができる。
【００４４】
また、実施例１の空気清浄機１における脱臭フィルタ６は、フィルタ部材６ａと、フィルタ部材６ａを支持する円筒状の支持基体６ｂと、を有する。これにより、支持基体６ｂに対してフィルタ部材６ａが着脱可能となり、必要に応じて、フィルタ部材６ａを容易に交換することが可能になる。また、実施例１の空気清浄機１における脱臭フィルタ６は、支持基体６ｂの各枠部６ｃが連結部６ｄを介して連結されることで、脱臭フィルタ６を通過する気流を妨げることなく、支持基体６ｂの機械的強度を補強することができる。
【００４５】
また、実施例１の空気清浄機１は、周方向に沿ってギア部１５が設けられた脱臭フィルタ６と、ギア部１５を介して脱臭フィルタ６を回転させる駆動ギア１１ｂを有する駆動部１１と、を備える。これにより、駆動部１１は、関連技術におけるベルト駆動に比べて、ギア部１５を介して脱臭フィルタ６を高精度に回転させることができる。
【００４６】
以下、実施例２、３について図面を参照して説明する。実施例２、３において、実施例１と同一の構成部材には、実施例１と同一の符号を付して説明を省略する。
【実施例２】
【００４７】
図７は、実施例２の空気清浄機を正面部側から見た断面図である。実施例２の空気清浄機は、筐体８の底面部８ｃ側における加熱部１３の配置、及び駆動部１１の駆動ギア１１ｂが脱臭フィルタ３０の内周側に配置された点が、実施例１と異なる。
【００４８】
図７に示すように、実施例２の空気清浄機２が有する加熱部１３は、筐体８内における底面部８ｃと側面部８ｅとがなす角部に配置されている。筐体８内の角部に配置された加熱部１３は、脱臭フィルタ６の軸方向（Ｙ方向）から見た断面において、底面部８ｃが脱臭フィルタ６の周方向に延在するＸ方向における両端Ｃ１、Ｃ２と、脱臭フィルタ６の回転中心Ｃ３とをそれぞれ結ぶ２つの線分Ｃ１Ｃ３、Ｃ２Ｃ３と、底面部８ｃ（線分Ｃ１Ｃ２）とで囲まれた三角形領域Ｃ内に配置されている。
【００４９】
また、実施例２の空気清浄機２が有する脱臭フィルタ３０は、駆動部１１の駆動ギア１１ｂが噛み合うギア部３１が、脱臭フィルタ３０の内周面５ｂに沿って形成されている。脱臭フィルタ３０は、内周面５ｂの周方向に沿ってギア部３１が形成されている点が、上述の脱臭フィルタ６と異なっている。脱臭フィルタ３０の他の構成は上述の脱臭フィルタ６と同一である。
【００５０】
また、実施例２では、回転支持部１２は、筐体８内の底面部８ｃに設けられた複数のローラ２１と、筐体８内における上面部８ｄと側面部８ｅとの角部に配置された複数のローラ３２と、を有する。回転支持部１２は、必要に応じて、脱臭フィルタ３０の周方向におけるいずれの位置にローラが配置されてもよく、脱臭フィルタ３０の周方向における配置箇所の数、ローラの数を限定するものではない。
【００５１】
（実施例２の効果）
上述したように実施例２によれば、実施例１と同様に、底面部８ｃは気流が通過しないので、底面部８ｃと側面部８ｅとがなす角部における気流の流れも少なく、加熱部１３の配置に伴って筐体８内の気流が妨げられることが抑えられる。したがって、実施例２においても、回転支持部１２及び加熱部１３によって筐体８内を通過する気流が妨げられることを抑えることができる。
【００５２】
また、実施例２においても、円筒状の脱臭フィルタ３０の軸方向を水平方向に配置した姿勢で脱臭フィルタ３０を回転させることが可能になり、脱臭フィルタ３０の内周側に遠心ファン７を配置できるので、空気清浄機２全体を奥行方向（Ｙ方向）に対して小型化することができる。加えて、実施例２は、加熱部１３が底面部８ｃ側の角部に配置されたことで、筐体８内の空間を有効利用し、空気清浄機２の小型化が可能になる。
【実施例３】
【００５３】
図８は、実施例３の空気清浄機を正面部側から見た断面図である。実施例３の空気清浄機は、筐体８の底面部８ｃ側に配置された加熱部の加熱範囲が広げられた点が、実施例１と異なる。
【００５４】
図８に示すように、実施例３の空気清浄機３が備える加熱部３３は、筐体８内における底面部８ｃ上に設けられており、脱臭フィルタ６の全周の１／４程度の範囲に対向して配置されている。加熱部３３は、脱臭フィルタ６の外周面５ａに沿って延ばされた加熱板３４を有しており、実施例１の加熱部１３に比べ、脱臭フィルタ６の周方向に対する加熱領域が増やされている。これにより、実施例３は、加熱部３３が脱臭フィルタ６の全周を加熱するために要する加熱時間を短縮することができる。
【００５５】
実施例３においても、回転支持部１２のローラ２１は、加熱部３３に対して脱臭フィルタ６の周方向における上流側と下流側とに配置されている。また、複数のローラ２１は、脱臭フィルタ６の軸方向（Ｙ方向）の両端部にそれぞれ配置されている。
【００５６】
（実施例３の効果）
上述したように実施例３によれば、実施例１と同様に、底面部８ｃは気流が通過しないので、加熱部３３の配置に伴って筐体８内の気流が妨げられることが抑えられる。したがって、実施例３においても、回転支持部１２及び加熱部３３によって筐体８内を通過する気流が妨げられることを抑えることができる。
【００５７】
また、実施例３においても、円筒状の脱臭フィルタ６の軸方向を水平方向に配置した姿勢で脱臭フィルタ６を回転させることが可能になり、脱臭フィルタ６の内周側に遠心ファン７を配置できるので、空気清浄機３全体を奥行方向（Ｙ方向）に対して小型化することができる。
【００５８】
（脱臭フィルタの変形例）
最後に、脱臭フィルタの変形例について説明する。上述した脱臭フィルタ６は、円筒状のフィルタ部材６ａが円筒状の支持基体６ｂの内周部に挿入されて構成されたが、この構成に限定されるものではない。図９は、実施例１〜３の空気清浄機１〜３が有する変形例の脱臭フィルタを示す分解斜視図である。
【００５９】
図９に示すように、脱臭フィルタ４１は、複数のフィルタ部材４１ａと、多角筒状の支持基体４１ｂと、を有する。支持基体４１ｂは、脱臭フィルタ４１の周方向に沿って配置された複数のフィルタ部材４１ａを支持する一対の環状の枠部４１ｃと、一対の枠部４１ｃを互いに連結する複数の連結部４１ｄと、を有する。支持基体４１ｂは、複数の連結部４１ｄによって枠部４１ｃの機械的強度が補強されている。
【００６０】
また、脱臭フィルタ４１の支持基体４１ｂの軸方向の一端部の外周部には、周方向にわたって環状のギア部４５が形成されている。脱臭フィルタ４１は、ギア部４５を介して駆動部１１によって駆動される。また、支持基体４１ｂの軸方向の両端部に位置する一対の枠部４１ｃの外周面には、例えば、回転支持部１２が有する複数のローラ２１によって支持される環状の平滑面４１ｅが周方向にわたって形成されている。脱臭フィルタ４１は、環状の平滑面４１ｅを有することで、脱臭フィルタ４１の回転動作の安定性が高められている。
【００６１】
フィルタ部材４１ａは、矩形状の板状に形成されており、複数のフィルタ部材４１ａが支持基体４１ｂの周方向に沿って配列されている。フィルタ部材４１ａは、例えば、支持基体４１ｂの内周部において一対の枠部４１ｃ及び各連結部４１ｄに跨って外周部が接着剤等によって固定されている。
【００６２】
変形例の脱臭フィルタ４１によれば、平板状の複数のフィルタ部材４１ａを用いて多角筒状の脱臭フィルタ４１を構成することが可能になり、必要に応じて、フィルタ部材４１ａを交換することが可能になる。
【符号の説明】
【００６３】
１  空気清浄機
６  脱臭フィルタ
６ａ  フィルタ部材
６ｂ  支持基体
６ｃ  枠部
６ｄ  連結部
７  遠心ファン
８  筐体
８ｃ  底面部
１０  載置面（床面）
１１  駆動部
１１ｂ  駆動ギア
１２  回転支持部
１３  加熱部
１４  制御部
１５  ギア部
２３  ヒータ
２４  加熱板（加熱部材）
２６  ホルダ部材
２８  ガイドローラ（回転体）
【図１】
2017169820.tif 000003
【図２】
2017169820.tif 000004
【図３】
2017169820.tif 000005
【図４】
2017169820.tif 000006
【図５】
2017169820.tif 000007
【図６】
2017169820.tif 000008
【図７】
2017169820.tif 000009
【図８】
2017169820.tif 000010
【図９】
2017169820.tif 000011